(57)【要約】【課題】コストや手間をかけること無く車内での視聴環境の改善を図った案内音声再生装置を提供する。【解決手段】案内音声を含む複数の音源の再生を行う、車両に備え付けの内部再生機器（車載スピーカＦＬ、ＦＲ、ＲＬ、ＲＲ）を備えた案内音声再生装置（カーナビ装置１）であって、乗員が携帯する外部再生機器（携帯電話３）を接続する外部インタフェース部（近距離無線通信アダプタ２０）と、案内音声を外部再生機器に出力する設定が有効になっていた場合、生成された案内音声を外部インタフェース部経由で外部再生機器に出力するとともに、案内音声の内部再生機器への出力を禁止する制御部１１と、により構成される。【選択図】図２
2011019160.tif 000002
【特許請求の範囲】
【請求項１】
案内音声を含む複数の音源の再生を行う、車両に備え付けの内部再生機器を備えた案内音声再生装置であって、
乗員が携帯する外部再生機器を接続する外部インタフェース部と、
前記案内音声を前記外部再生機器に出力する設定が有効になっていた場合、生成された案内音声を前記外部インタフェース部経由で前記外部再生機器に出力するとともに、前記案内音声の前記内部再生機器への出力を禁止する制御部と、
を備えたことを特徴とする案内音声再生装置。
【請求項２】
前記外部インタフェース部は、
前記制御部で生成された案内音声を近距離無線通信により送信する近距離無線通信アダプタであることを特徴とする請求項１記載の案内音声再生装置。
【請求項３】
前記外部インタフェースは、
前記制御部で生成された案内音声を有線で転送するＵＳＢであることを特徴とする請求項１記載の案内音声再生装置。
【請求項４】
前記外部再生機器は、
前記制御部との間で近距離無線通信を行う前記近距離無線通信アダプタ、又は有線で通信を行う前記ＵＳＢを備えた携帯電子機器であることを特徴とする請求項１記載の案内音声再生装置。
【請求項５】
前記制御部は、
前記案内音声以外の音源の再生を有効にする設定が更になされていた場合、前記案内音声と前記案内音声以外の音源出力とを合成し、前記合成した音声を前記外部インタフェース部経由で前記外部再生機器へ出力することを特徴とする請求項１から請求項４のうちのいずれか１項記載の案内音声再生装置。
【請求項６】
前記制御部は、
前記設定を有効又は無効にする他、前記外部再生機器を特定するユーザインタフェースを提供し、ユーザによる設定を取り込んで前記外部インタフェース部を介して接続される外部再生機器との照合を行うことを特徴とする請求項１から請求項５のうちのいずれか１項記載の案内音声再生装置。
【発明の詳細な説明】
【技術分野】
【０００１】
本発明は、案内音声を含む複数の音源の再生を行う、車両に備え付けの内部再生機器を備えた、案内音声再生装置に関する。
【背景技術】
【０００２】
現在流通しているカーナビゲーションシステムは、ＣＤ（Compact Disc）オーディオやＤＶＤ（Digital Versatile Disc）ビデオ等を再生している最中に、案内音声が入ると、オーディオ音声をミュートし、案内音声を優先的に再生し、又は、オーディオ音声に案内音声を重畳させ、案内音声を車載スピーカから再生する構成になっている。
しかしながら、案内音声は、運転者以外の同乗者にとっては不要な情報であり、このため、案内音声を車載スピーカから再生すると、同乗者にとってはオーディオ再生の視聴が妨げられ、試聴環境が劣化することになる。
【０００３】
このため、特許文献１に開示されているように、運転席と助手席のヘッドレスト部分にそれぞれ専用のスピーカを設け、再生音声の切換回路を用いることにより、オーディオ再生中でも運転者や助手席の搭乗者がラジオ音声やナビ案内音声を聞けるようにした車載用オーディオ装置が知られている。
また、特許文献２に開示されているように、指向性スピーカと収音マイクとを用いることで運転者や同乗者の試聴環境を改善する音声ガイド付きカーナビゲーションシステムも知られている。具体的には、対象者周囲の音（再生中のオーディオ音声やナビ案内音声を含む）を収音マイクで収音し、その逆位相成分を対象者専用スピーカからの再生音声に加算することで、不要な音声（運転者の場合はオーディオ音声、同乗者の場合はナビ案内音声、が不要な音声となる）を打ち消して必要な音声を試聴しやすくしている。
【先行技術文献】
【特許文献】
【０００４】
【特許文献１】特許第４１５４６０２号公報
【特許文献２】特開２００５−２４１２７１号公報
【発明の概要】
【発明が解決しようとする課題】
【０００５】
しかしながら、特許文献１に開示された技術によれば、専用スピーカをヘッドレスト内に内蔵させる必要があるため、取り付けのためのコストや手間が必要である。また、特許文献２に開示された技術も同様、指向性スピーカという特殊なスピーカを用いることや収音マイクを搭載しなければならないことから、コストや手間がかかり、大掛かりな構成になってしまう課題があった。
【０００６】
本発明は上記した課題を解決するためになされたものであり、コストや手間をかけること無く車内での視聴環境の改善を図った案内音声再生装置を提供することを目的とする。
【課題を解決するための手段】
【０００７】
上記した課題を解決するために本発明の案内音声再生装置は、案内音声を含む複数の音源の再生を行う、車両に備え付けの内部再生機器を備えた案内音声再生装置であって、乗員が携帯する外部再生機器を接続する外部インタフェース部と、前記案内音声を前記外部再生機器に出力する設定が有効になっていた場合、生成された案内音声を前記外部インタフェース部経由で前記外部再生機器に出力するとともに、前記案内音声の前記内部再生機器への出力を禁止する制御部と、を備えたものである。
【発明の効果】
【０００８】
本発明によれば、コストや手間をかけること無く車内での視聴環境の改善を図った案内音声再生装置を提供することができる。
【図面の簡単な説明】
【０００９】
【図１】本発明の実施の形態１に係る案内音声再生装置で使用される再生機器配置の一例を示す図である。
【図２】本発明の実施の形態１に係る案内音声再生装置の構成を示すブロック図である。
【図３】本発明の実施の形態１に係る案内音声再生装置の制御部の内部構成を示すブロック図である。
【図４】本発明の実施の形態１に係る案内音声再生装置で使用される外部再生機器の構成を示すブロック図である。
【図５】本発明の実施の形態１に係る案内音声再生装置の動作を示すフローチャートである。
【図６】本発明の実施の形態２に係る案内音声再生装置の構成を示すブロック図である。
【図７】本発明の実施の形態２に係る案内音声再生装置の動作を示すフローチャートである。
【発明を実施するための形態】
【００１０】
実施の形態１．
図１は、本発明の実施の形態１に係る案内音声再生装置で使用される再生機器配置の一例を示す図である。
図１に示されるように、車両には、カーナビゲーションシステム（カーナビ装置１）が搭載されており、車室内には、車載スピーカであるセンタスピーカの他に、前席乗員用に左右スピーカＦＬ、ＦＲが、そして、後席乗員用に左右スピーカＲＬ、ＲＲが、内部再生機器としてそれぞれドアの内張りに実装されている。
【００１１】
また、運転者は、外部再生機器としての携帯電話３を近傍に設置しておくものとする。ここでは、近距離無線通信による、あるいはＵＳＢ（Universal Serial Bus）による案内音声の送信機能が有効になっていた場合に、カーナビ装置１から携帯電話３に案内音声を送信し、携帯電話３が内蔵するスピーカから再生出力するケースを想定している。このとき、内部再生機器（車載スピーカＦＬ、ＦＲ、ＲＬ、ＲＲ）からの案内音声再生出力は禁止される。
【００１２】
携帯電話３は、例えば、座席のヘッドレスト部に立掛けるように配置する等により、携帯電話３のスピーカから再生される案内音声が同乗者に届かないように配慮する必要がある。また、携帯電話３に接続可能なイヤホンを使用し、案内音声はイヤホンから再生してもよい。なお、外部再生機器は、携帯電話３に限る必要は無く、例えば、ＰＤＡ（Personal Digital Assistants）やゲーム機器等、スピーカを内蔵したパーソナルユースの携帯電子機器であればいずれでも構わない。但し、いずれも近距離無線通信、あるいはＵＳＢ接続に対応している必要がある。
【００１３】
図２は、本発明の実施の形態１に係る案内音声再生装置の構成を示すブロック図である。図２に示されるように、本発明の実施の形態１に係る案内音声再生装置は、図１に示すカーナビ装置１により実現され、制御部１１と、表示部１２と、記憶部１３と、ＣＤやＤＶＤ等を再生する音源１４と、ナビゲーションのための案内音声を再生する音源１５と、キー操作部１６と、ＧＰＳ（Global Positioning System）受信部１７と、ＧＰＳアンテナ１８と、音声制御部１９と、外部インタフェース部としての近距離無線通信アダプタ２０と、近距離無線通信アンテナ２１と、パワーアンプ２２と、車載スピーカ２３と、により構成される。
【００１４】
制御部１１は、案内音声を外部再生機器に出力する設定が有効になっていた場合、生成された案内音声を外部インタフェース部としての近距離無線通信アダプタ２０経由で、外部再生機器としての携帯電話３へ出力するとともに、案内音声の車載スピーカＦＬ、ＦＲ、ＲＬ、ＲＲへの出力を禁止する機能を有する。
制御部１１は、例えば、マイクロプロセッサにより実現され、このマイクロプロセッサが実行するプログラムの構造が図３に機能展開されて示されているように、ＧＵＩ（Graphical User Interface）提供部１１１と、設定記憶部１１２と、設定照合部１１３と、外部インタフェース制御部１１４とを含む。なお、設定記憶部１１２は、後述する記憶部１３の一部領域に割り当てられ記憶されても良い。
【００１５】
ＧＵＩ提供部１１１は、例えば、表示部１２に設定画面を表示して、案内音声を外部再生機器に出力する設定を有効、又は無効にする他、外部再生機器である携帯電話３を特定するためのユーザインタフェースを提供するとともに、キー操作部１６を操作することによるユーザ設定情報を取り込み、近距離無線通信アダプタ２０を介して無線接続される特定の携帯電話３との照合を行う。設定記憶部１１２には、キー操作部１６を操作することにより入力される、設定、および携帯電話３の番号等のユーザ設定情報が格納される。
【００１６】
設定照合部１１３は、ユーザ設定情報により後述する音声制御部１９による音声再生出力の切り替え制御を行う他、近距離無線通信アダプタ２０を介して接続される携帯電話３が、設定記憶部１１２に保持された特定のものであるか否かを照合する機能を有する。外部インタフェース制御部１１４は、設定照合部１１３による照合結果に基づき、近距離無線通信アダプタ２０の動作を有効／無効にする制御を行う。
【００１７】
説明を図２に戻す。表示部１２は、制御部１１による制御の下で地図やナビゲーション、あるいは上述した設定画面を表示する、例えば、ＬＣＤ（Liquid Crystal Display）により構成されるディスプレイモニタである。
記憶部１３には、上述した制御部１１が実行するプログラムの他、地図や施設情報等が格納されている。なお、音源１４には、上述したＣＤやＤＶＤの他、ＴＶ、ラジオ等の入力ソースによる音源も含まれる。音源１５は、制御部１１により生成されるナビゲーション専用の案内音声である。
【００１８】
キー操作部１６は、表示部１２とともにＧＵＩを提供する入出力デバイスであり、例えば、ＬＣＤタッチパネルで構成される。ＧＰＳ受信部１７は、ＧＰＳアンテナ１８経由で受信されるＧＰＳ衛星電波から制御部１１が測位演算を行うために必要な、緯度、経度、時間に関する情報を受信する。
【００１９】
音声制御部１９は、入力される音源１４、１５からの再生出力のそれぞれを、制御部１１（設定照合部１１３）による制御の下で、近距離無線通信アダプタ２０、またはパワーアンプ２２に切り替え出力する。このため、音声制御部１９は、２個の制御スイッチＳＷ１９１ａ，ＳＷ１９１ｂ、スイッチＳＷ１９２、加算器１９３と、２個のデジタル−アナログ変換回路（Ｄ／Ａ１９４、１９５）とを含む。
【００２０】
制御スイッチＳＷ１９１ａ，ＳＷ１９１ｂは、ＣＤやＤＶＤ等を再生するための音源１４と案内音声を再生するための音源１５からそれぞれ出力される再生信号をＯＮ／ＯＦＦするものである。制御スイッチＳＷ１９１ａ，ＳＷ１９１ｂがともにＯＮになっていると、加算器１９３で両方の音源１４、１５からの再生信号が合成され、Ｄ／Ａ１９５によりアナログ音声に変換され、更に、パワーアンプ２２で増幅され、車載スピーカ２３経由で再生出力される。
【００２１】
また、制御スイッチＳＷ１９２は、案内音声を再生するための音源１５から出力される再生信号をＯＮ／ＯＦＦするものである。例えば、案内音声を携帯電話３へ出力する場合は、制御スイッチＳＷ１９２をＯＮすることで近距離無線通信アダプタ２０による近距離無線通信を有効とし、ＯＦＦすることで無効にする制御を行う。
このため、制御スイッチＳＷ１９２がＯＮされた場合、音源１５からの案内音声再生信号は、Ｄ／Ａ１９４でアナログ音声に変換され、近距離無線通信アダプタ２０、近距離無線通信アンテナ２１経由で予め設定された特定の携帯電話３へ近距離無線通信される。
【００２２】
近距離無線通信アダプタ２０は、内部的には、変復調部と、コイルおよびコンデンサで構成された共振回路部とを含み、共振周波数により生成される電磁波を変復調して非接触通信を行う。近距離無線通信アダプタ２０は、非接触通信が出来ればよく、例えば、Ｂｌｕｅｔｏｏｔｈ（登録商標／以下、省略して記載）として知られている無線通信技術が使用され、あるいは、無線ＬＡＮ（Local Area Network）、ＲＦＩＣ（Radio Frequency IC）による無線通信で代替してもよい。
【００２３】
図４は、本発明の実施の形態１に係る案内音声再生装置で使用される外部再生機器（携帯電話３）の構成を示すブロック図である。
図４を参照すると、携帯電話３は、制御部３１を制御中枢とし、通信部３２と、操作部３３と、表示部３４と、音声ＣＯＤＥＣ（COder DECoder）部３５と、設定記憶部３６と、近距離無線通信部３７と、により構成される。
【００２４】
通信部３２は、無線通信システムを捕捉し、不図示の通信ネットワークに接続される基地局との間で無線通信を行い、各種データの送受信を行う。ここで各種データとは、音声通話時の音声データ、メール送受信時のメールデータ、Ｗｅｂ（World Wide Web）閲覧時のページデータ等である。
【００２５】
操作部３３は、例えば、電源キー、通話キー、数字キー、文字キー、方向キー、決定キー、発信キー、ファンクションキーなど、各種の機能が割り当てられたキーを有しており、これらのキーがユーザによって操作された場合に、その操作内容に対応する信号を発生し、これをユーザの指示として制御部３１に出力する。
表示部３４は、多数の画素（複数色の発光素子の組み合わせ）を縦横に配して構成される、例えばＬＣＤや有機ＥＬ（Electro-Luminescence）を用いて構成される。表示部３４は、制御部３１により生成され、記憶部３６の所定の領域（ＶＲＡＭ領域）に書き込まれた文書等の表示対象データに応じた画像を表示する。
【００２６】
音声ＣＯＤＥＣ部３５は、スピーカＳＰから出力される音声信号やマイクロフォンＭＩＣにおいて入力される音声信号の入出力処理を行う。すなわち、音声ＣＯＤＥＣ部３５は、マイクロフォンから入力された音声を増幅し、アナログ−デジタル変換を行い、更に符号化等の信号処理を施し、デジタルの音声データに変換して制御部３１に出力する。また、音声ＣＯＤＥＣ部３５は、制御部３１から供給される音声データに復号化、デジタル−アナログ変換、増幅等の信号処理を施し、アナログの音声信号に変換してスピーカＳＰに出力する。
【００２７】
設定記憶部３６は、携帯電話３の各種処理に利用される各種データを記憶する。例えば、制御部３１が実行するプログラム、各種設定データ、プログラムの処理過程で利用される一時的なデータが記憶される。
なお、設定記憶部３６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２８】
近距離無線通信部３７は、電磁波を生成して上述したカーナビ装置１の近距離無線通信アダプタ２０との間で近距離無線通信を行う。
近距離無線通信部３７は、カーナビ装置１が内蔵する近距離無線通信アダプタ２０同様、内部的には、変復調部と、コイルおよびコンデンサで構成された共振回路部とを含み、共振周波数により生成される電磁波を変復調して非接触通信を行う。ここでは、上述したカーナビ装置１の近距離無線通信アダプタ２０との間で近距離無線通信が可能なように、予めＷｅｂ経由でドライバソフトを含む制御ソフトウェアをダウンロードにより取得し、インストールしておくものとする。
【００２９】
なお、近距離無線通信部３７は、非接触通信が出来ればよく、例えば、Ｂｌｕｅｔｏｏｔｈとして知られている無線通信技術が使用され、あるいは、無線ＬＡＮ（Local Area Network）、ＲＦＩＣ（Radio Frequency IC）による無線通信でもよい。近距離無線通信部３７は、ここでは、カーナビ装置１から案内音声を近距離無線通信により受信し、制御部３１、音声ＣＯＤＥＣ部３５を経由してスピーカＳＰに出力する。
【００３０】
制御部３１は、携帯電話３の全体的な動作を統括的に制御する。すなわち、携帯電話３の各種処理（回線交換網を介して行われる音声通話、電子メールの作成と送受信、インターネットのＷｅｂサイトの閲覧等）が操作部３３の操作に応じて適切な手順で実行されるように、上述した各制御ブロックの動作（通信部３２における信号の送受信、操作部３３からの操作入力の取り込み、音声ＣＯＤＥＣ部３５における音声入出力、表示部３４における画像の表示、近距離無線通信部３７との間の情報転送等）を制御する。
【００３１】
図５は、本発明の実施の形態１に係る案内音声再生装置の動作を示すフローチャートである。以下、図５のフローチャートを参照しながら、図１〜図４に示す本発明の実施の形態１に係る案内音声再生装置の動作について詳細に説明する。
【００３２】
まず、電源がＯＮされると（ステップＳＴ５０１）、制御部１１は、設定記憶部１１２に保持された設定情報を参照することにより、携帯電話３への近距離無線通信による案内音声の送信機能を有効か否か判定する（ステップＳＴ５０２）。ここでは、事前に、ＧＵＩ提供部１１１により表示部１２に設定画面が表示され、ユーザがキー操作部１６を操作することによりその内容が取り込まれ、設定記憶部１１２に保持されているものとする。なお、このとき、送信先となる携帯電話３の固有の番号も設定されるものとする。
【００３３】
ステップＳＴ５０２の設定判定処理で無効と判定された場合（ステップＳＴ５０２“ＮＯ”）、制御部１１は、設定照合部１１３により音声制御部１９の制御スイッチＳＷ１９１ａ，ＳＷ１９１ｂ、ＳＷ１９２を制御する。ここでは、設定照合部１１３は、設定に基づき、制御スイッチＳＷ１９２をＯＦＦ、制御スイッチＳＷ１９１ａ，ＳＷ１９１ｂをともにＯＮする（ステップＳＴ５０３）。したがって、音声制御部１９では、ＣＤやＤＶＤを再生する音源１４と、案内音声を再生する音源１５の再生信号出力を、制御スイッチＳＷ１９１ａ，ＳＷ１９１ｂを経由して加算器１９３で合成し（ステップＳＴ５０４）、Ｄ／Ａ１９５でアナログ音声信号に変換する（ステップＳＴ５０５）。そして、音声制御部１９から出力されるアナログ音声信号は、パワーアンプ２２で増幅され、車載スピーカＦＬ、ＦＲ、ＲＬ、ＲＲを介して再生出力される（ステップＳＴ５０６）。
【００３４】
一方、ステップＳＴ５０２の設定判定処理で、携帯電話３への近距離無線通信による案内音声の送信機能を有効と判定された場合（ステップＳＴ５０２“ＹＥＳ”）、制御部１１は、設定照合部１１３により、音声制御部１９の制御スイッチＳＷ１９２をＯＮ、制御スイッチＳＷ１９１ａをＯＦＦ、ＳＷ１９１ｂをＯＮする（ステップＳＴ５０７）。続いて制御部１１は、送信される再生信号が、音源１４によるものか音源１５かによるものかによって再生音声の異なる切り替え操作を行う。
【００３５】
すなわち、ＣＤ／ＤＶＤを再生する音源１４の場合（ステップＳＴ５０８“音源１４”）、音声制御部１９は、制御スイッチＳＷ１９１ａ，ＳＷ１９１ｂ経由で入力される音源１４の再生出力のみ加算器１９３、Ｄ／Ａ１９５経由で出力し（ステップＳＴ５０９）、パワーアンプ２２により増幅して車載スピーカ２３へ出力する処理を行う（ステップＳＴ５１０）。
一方、案内音声を再生する音源１５の場合（ステップＳＴ５０８“音源１５”）、制御スイッチＳＷ１９２経由で入力される音源１５の案内音声はＡ／Ｄ１９４によりデジタル音声信号に変換され、近距離無線通信アダプタ２０に転送される。これを受け、近距離無線通信アダプタ２０は、携帯電話３の近距離無線通信部３７との間でリンクを確立する（ステップＳＴ５１１）。
【００３６】
なお、このとき、制御部１１は、設定照合部１１３で、設定記憶部１１２に記憶されている予め設定済みの携帯電話３が接続されているか否かを判定する（ステップＳＴ５１２）。ここで、照合が成立した場合（ステップＳＴ５１２“ＯＫ”）、近距離無線通信アダプタ２０、近距離無線通信アンテナ２１経由で案内音声の通信を許可し（ステップＳＴ５１３）、照合が不成立の場合（ステップＳＴ５１２“ＮＧ”）、案内音声の通信を禁止して携帯電話３の設定登録を促す（ステップＳＴ５１４）。
近距離無線通信アンテナ２１経由で案内音声を受信した事前登録済みの携帯電話３では、近距離無線通信部３７でその案内音声を受信し、制御部３１、音声ＣＯＤＥＣ部３５経由で、スピーカＳＰにより出力される。
【００３７】
上述した実施の形態１に係る案内音声再生装置によれば、制御部１１が、案内音声を外部再生機器（携帯電話３）に出力する設定が有効になっていた場合、生成された案内音声を外部インタフェース制御部１１４から近距離無線通信アダプタ２０を経由して外部再生機器に出力するとともに、案内音声の内部再生機器（車載スピーカ２３）への出力を禁止することにより、案内音声は運転者以外の同乗者に伝わることはなくなるため、オーディオ再生の視聴が妨げられて試聴環境が劣化する問題は回避される。
また、その際に、オーディオ音声をミュートし、案内音声を優先的に再生し、又は、オーディオ音声に案内音声を重畳させる必要がなくなるため制御の手間が省け、更には、普段携帯する携帯電話３を利用するだけで本発明を実現できるため、コストや手間をかけること無く視聴環境の改善を図った案内音声再生装置を提供することができる。
【００３８】
また、本発明の実施の形態１に係る案内音声再生装置によれば、制御部１１が、設定を有効又は無効にする他、外部再生機器を特定するユーザインタフェースを提供し、ユーザによる設定を取り込んで接続される外部再生機器との照合を行うことにより簡単に音声切換えが実現でき、かつ、必要な乗員（運転者）にのみ案内音声が伝達されるため、同乗者はオーディオ再生の視聴が妨げられることなく、試聴環境が改善される。
【００３９】
実施の形態２．
図６は、本発明の実施の形態２に係る案内音声再生装置の構成を示すブロック図である。図６に示されるように、図２に示す実施の形態１との差異は、実施の形態１では音声制御部１９が有する制御スイッチＳＷ１９２が１つであったのに対し、以下に説明する実施の形態２では２つの制御スイッチＳＷ１９６ａ，ＳＷ１９６ｂが使用されること、Ｄ／Ａ１９４との間に加算器１９７を介挿したことの２つにある。
ここで、制御スイッチＳＷ１９６ａは、案内音声を再生する音源１５、ＳＷ１９６ｂは、ＣＤやＤＶＤを再生する音源１４に接続されるものとする。他の構成は、図２に示す実施の形態１と同様である。
【００４０】
上記構成により、案内音声のみならず、ＣＤやＤＶＤを再生する音源１４の出力も携帯電話３へ送信することが可能になる。これは、同乗者が睡眠中、運転者が同乗者の睡眠を邪魔することなくオーディオ等を聴きたい場合に有効である。
【００４１】
図７は、本発明の実施の形態２に係る案内音声再生装置の動作を示すフローチャートである。以下、図７のフローチャートを参照しながら、図６に示す本発明の実施の形態２に係る案内音声再生装置の動作について、特に、実施の形態１との差異にのみ着目して説明する。
【００４２】
以下に説明する実施の形態２では、制御部１１が、設定記憶部１１２に保持された設定を参照することにより、携帯電話３への近距離無線通信による案内音声の送信機能が有効か無効かを判定し（ステップＳＴ７０２）、その判定結果がＹＥＳの場合、携帯電話３へ、ＣＤやＤＶＤを再生する音源１４の再生信号の送信が有効か否かを判定する（ステップＳＴ７１５）。
ここでの判定も実施の形態１同様、表示部１２とキー操作部１６によるＧＵＩ制御部１１１を使用した事前の設定によるものとする。
【００４３】
ここで、音源１４の再生が有効になっていた場合（ステップＳＴ７１５“ＹＥＳ”）、制御部１１は、設定照合部１１３が音声制御部１９を制御して、制御スイッチＳＷ１９６ａ，ＳＷ１９６ｂを共にＯＮ、制御スイッチＳＷ１９１ａ，ＳＷ１９１ｂを共にＯＦＦする（ステップＳＴ７１６）。したがって、音声制御部１９では、ＣＤやＤＶＤを再生する音源１４と、案内音声を再生する音源１５の再生信号出力を、制御スイッチＳＷ１９６ａ，ＳＷ１９６ｂを経由して加算器１９７で合成し、Ｄ／Ａ１９４でアナログ音声信号に変換する（ステップＳＴ７１７）。そして、音声制御部１９から出力されるアナログ音声信号は、近距離無線通信アダプタ２０に転送される。これを受けた近距離無線通信アダプタ２０は、携帯電話３の近距離無線通信部３７との間でリンクを確立する（ステップＳＴ７１１）。
【００４４】
このとき、制御部１１は、設定照合部１１３で、設定記憶部１１２に記憶されている予め設定済みの携帯電話３が接続されているか否かを判定し（ステップＳＴ７１２）。ここで、照合が成立した場合（ステップＳＴ７１２“ＯＫ”）、近距離無線通信アダプタ２０、近距離無線通信アンテナ２１経由で案内音声の通信を許可し（ステップＳＴ７１３）、照合が不成立の場合（ステップＳＴ７１２“ＮＧ”）、案内音声の通信を禁止して携帯電話３の設定登録を促す動作（ステップＳＴ７１４）は実施の形態１と同様である。
近距離無線通信アンテナ２１経由で音源１４と音源１５の合成音声を受信した事前登録済みの携帯電話３では、近距離無線通信部３７でその音声を受信し、制御部３１、音声ＣＯＤＥＣ部３５経由で、スピーカＳＰにより出力される。
【００４５】
なお、図７のフローチャートにおいて、ステップＳＴ７１５〜ＳＴ７１７が実施の形態１の処理に付加された処理であり、ステップＳＴ７０１〜ＳＴ７１４は、図５に示す実施の形態１のステップＳＴ５０１〜ＳＴ５１４のそれぞれに相当する処理である。この動作は、図５に示す実施の形態１と同様であるため、説明の重複を回避する意味で省略する。
【００４６】
上述した実施の形態２に係る案内音声再生装置によれば、制御部１１は、案内音声以外の音源の再生を有効にする設定が更になされていた場合、案内音声と案内音声以外の音源出力とを合成し、この合成した音声を外部インタフェース部経由で外部再生機器へ出力することにより、実施の形態１が有する効果に加え、柔軟な音声切換え操作を実現できる。
例えば、同乗者が睡眠中に運転者がオーディオ等を聴きたい場合等に有効であり、この場合、音源１５の案内音声のみならず、ＣＤやＤＶＤを再生する音源１４の出力も携帯電話３へ送信することが可能になる。
【００４７】
なお、図２、図６に示す制御部１１が有する機能は、全てをソフトウェアによって実現しても、あるいはその少なくとも一部をハードウェアで実現してもよい。例えば、制御部１１が、案内音声を外部再生機器に出力する設定が有効になっていた場合、生成された案内音声を外部インタフェース部経由で外部再生機器に出力するとともに、案内音声の内部再生機器への出力を禁止するデータ処理は、１又は複数のプログラムによりコンピュータ上で実現してもよく、また、その少なくとも一部をハードウェアで実現してもよい。
【符号の説明】
【００４８】
１  カーナビ装置、３  携帯電話（外部再生機器）、１１  制御部、１２  表示部、１３  記憶部、１４，１５  音源、１６  キー操作部、１７  ＧＰＳ受信部、１８  ＧＰＳアンテナ、１９  音声制御部、２０  近距離無線通信アダプタ（外部インタフェース部）、２１  近距離無線通信アンテナ、２２  パワーアンブ、２３  車載スピーカ、３１  制御部、３２  通信部、３３  操作部、３４  表示部、３５  音声ＣＯＤＥＣ部、３６  設定記憶部、３７  近距離無線通信部、１１１  ＧＵＩ提供部、１１２  設定記憶部、１１３  設定照合部、１１４  外部インタフェース制御部、ＳＷ１９１ａ，ＳＷ１９１ｂ，ＳＷ１９２，ＳＷ１９６ａ，ＳＷ１９６ｂ  制御スイッチ、１９３、１９７  加算器、１９４，１９５  Ｄ／Ａ（デジタル−アナログ変換器）。
【図１】
2011019160.tif 000003
【図２】
2011019160.tif 000004
【図３】
2011019160.tif 000005
【図４】
2011019160.tif 000006
【図５】
2011019160.tif 000007
【図６】
2011019160.tif 000008
【図７】
2011019160.tif 000009